(57)【要約】【課題】本考案は、複数の電力需要側に対して電力を供給することを可能にする新規な分岐ケーブル、前記分岐ケーブルを具備する電力供給装置、前記電力供給装置を具備するファン付作業服を提供することを目的とする。【解決手段】  一本の幹コード２と、前記幹コード２から枝分かれした複数本の枝コード３と、を具備してなる分岐ケーブル１において、前記幹コード２の末端にＤＣプラグ４を設け、前記枝コード３の各末端それぞれにＤＣジャック５を設ける。【選択図】図１
0003214729.tif 000002
【実用新案登録請求の範囲】
【請求項１】
一本の幹コードと、前記幹コードから枝分かれした複数本の枝コードと、を具備してなる分岐ケーブルであって、
前記幹コードの末端にＤＣプラグが設けられ、
前記枝コードの各末端それぞれにＤＣジャックが設けられてなることを特徴とする分岐ケーブル。
【請求項２】
請求項１に記載の分岐ケーブルにおいて、
前記幹コードの長さが、８ｃｍ以下となされた分岐ケーブル。
【請求項３】
請求項１又は２に記載の分岐ケーブルにおいて、
前記枝コードの長さが、１０ｃｍ以下となされた分岐ケーブル。
【請求項４】
請求項１ないし３のいずれか１項に記載の分岐ケーブルと、
前記分岐ケーブルのＤＣプラグが連結されるバッテリーボックスと、
を具備してなることを特徴とする電力供給装置。
【請求項５】
請求項４に記載の電力供給装置と、
前記電力供給装置からの電力の供給によってファンを回す送風装置と、
前記送風装置が取り付けられる被服と、
を具備してなることを特徴とするファン付作業服。
【考案の詳細な説明】
【技術分野】
【０００１】
本考案は、電力供給源から生じた電力を複数の電力需要側に送電するための分岐ケーブル、前記分岐ケーブルを具備する電力供給装置、前記電力供給装置を具備するファン付作業服に関する。
【背景技術】
【０００２】
近年、被服に取り付けられたファンを回すことによって、前記被服内に風を送り込み、もって身体を冷却するファン付作業服が普及している（例えば、下記特許文献１参照。）。
【０００３】
一般的に販売されているファン付作業服には、背中側の二箇所に前記ファンが取り付けられており、一個のバッテリーボックスから生じた電力を、二股に分岐されたＤＣケーブルを通じて各ファンに供給する仕組みとなされている。
【０００４】
そして、前記ＤＣケーブルと前記バッテリーボックスとの接続は、前記ＤＣケーブルの幹コードの末端に設けられたＤＣプラグを、前記バッテリーボックスに備えられたＤＣジャックに差し込むことによって行われている。
【０００５】
一方、前記ＤＣケーブルと前記ファンとの接続は、前記ＤＣケーブルの枝コードの各末端に設けられたＤＣプラグを、前記ファンに備えられたＤＣジャックに差し込むことによって行われている。
【先行技術文献】
【特許文献】
【０００６】
【特許文献１】特開２０１７‐１０１３５４号公報
【考案の概要】
【考案が解決しようとする課題】
【０００７】
ところで、非常に酷暑の作業現場では、二個のファンによる送風だけでは不十分な場合がある。このような場合、現場では、前記ファン付作業服に対して二つのファンを更に設け、合計四個のファンによる送風が行われていた。
【０００８】
しかしながら、四個のファンを回すには、二個のバッテリーの携帯が必要となるため、前記ファン付き作業服の重量が重くなる。
【０００９】
本考案は、前記技術的課題に鑑みて完成されたものであり、複数の電力需要側に対して電力を供給することを可能にする新規な分岐ケーブル、前記分岐ケーブルを具備する電力供給装置、前記電力供給装置を具備するファン付作業服を提供することを目的とする。
【課題を解決するための手段】
【００１０】
前記技術的課題を解決する本考案の分岐ケーブルは、一本の幹コードと、前記幹コードから枝分かれした複数本の枝コードと、を具備してなる分岐ケーブルであって、前記幹コードの末端にＤＣプラグが設けられ、前記枝コードの各末端それぞれにＤＣジャックが設けられてなることを特徴とする（以下、「本考案ケーブル」と称する。）。
【００１１】
前記本考案ケーブルにおいては、前記幹コードの長さが、８ｃｍ以下となされたものが好ましい態様となる。
【００１２】
前記本考案ケーブルにおいては、前記枝コードの長さが、１０ｃｍ以下となされたものが好ましい態様となる。
【００１３】
前記技術的課題を解決する本考案の電力供給装置は、前記本考案ケーブルと、前記本考案ケーブルのＤＣプラグが連結されるバッテリーボックスと、を具備してなることを特徴とする（以下、「本考案電力供給装置」と称する。）。
【００１４】
前記技術的課題を解決するための本考案のファン付き作業服は、前記本考案電力供給装置と、前記本考案電力供給装置からの電力の供給によってファンを回す送風装置と、前記送風装置が取り付けられる被服と、を具備してなることを特徴とする（以下、「本考案作業服」と称する。）。
【考案の効果】
【００１５】
本考案によれば、複数の電力需要側に対して電力を供給することが可能となる。
【図面の簡単な説明】
【００１６】
【図１】図１は、本考案ケーブルを示す斜視図である。
【図２】図２は、本考案電力供給装置を示す斜視図である。
【図３】図３（ａ）は、バッテリーボックスに前記本考案ケーブルを接続した様子を示す斜視図（ａ）と、一部断面状態にて示す正面図(ｂ)である。
【図４】図４は、本考案ファン付作業服を示す背面図である。
【考案を実施するための形態】
【００１７】
以下、本考案の実施形態を図面に基づいて説明するが、本考案はこの実施形態に限定されるものではない。
【００１８】
＜本考案ケーブル１＞
図１に、本考案ケーブル１の一実施形態を示す。前記本考案ケーブル１は、一本の幹コード２と、前記幹コード２から枝分かれした複数本の枝コード３と、を具備する。前記幹コード２及び前記枝コード３は、いずれも金属線を絶縁性材料にて被覆したものであり、各枝コード３は、互いに並列関係となされている。本実施形態において、前記幹コード２の長さ（Ｘ）は、６ｃｍとなされ、各枝コード３の長さ（Ｙ）は、いずれも９ｃｍとなされている。
【００１９】
又、前記幹コード２の末端には、ＤＣプラグ４が設けられ、前記枝コード３の各末端には、それぞれＤＣジャック５が設けられている。前記ＤＣプラグ４は、前記幹コード２の端子として機能し、前記ＤＣジャック５は、各枝コード３の端子として機能する。
【００２０】
なお、本実施形態においては、前記幹コード２の長さ（Ｘ）が６ｃｍ、各枝コード３の長さ（Ｙ）が９ｃｍとなされているが、前記幹コード２の長さ（Ｘ）と、前記枝コード３の長さ（Ｙ）は、特に限定されない。但し、前記幹コード２や前記枝コード３が極端に長くなると、各コード（２、３）の収納状態が悪くなるため、前記幹コード２の長さ（Ｘ）は、８ｃｍ以下（より好ましくは、４〜７ｃｍ）とすることが好ましく、前記枝コード３の長さ（Ｙ）は、１０ｃｍ以下（より好ましくは、５〜９ｃｍ）とすることが好ましい。
【００２１】
又、前記幹コード２の長さ（Ｙ）と、枝コード３の長さ（Ｙ）との合計は、２０ｃｍ以下（より好ましくは、１０〜１５ｃｍｍ）とすることが好ましい。
【００２２】
＜本考案電力供給装置１０＞
図２に、本考案電力供給装置１０の一実施形態を示す。前記本考案電力供給装置１０は、本考案ケーブル１と、バッテリーボックス６と、を具備する。
【００２３】
‐本考案ケーブル１‐
本実施形態における前記本考案ケーブル１は、前述のものと同様のである。
【００２４】
‐バッテリーボックス６‐
前記バッテリーボックス６は、電力供給源であり、本実施形態においては、充電によって電気を蓄え、繰り返し電池として使用することができる二次電池（充電式リチウムイオン電池）を用いた。前記バッテリーボックス６には、前記本考案ケーブル１のＤＣプラグ４を差し込み得るＤＣジャック６５が設けられている。
【００２５】
前記構成を有する前記本考案電力供給装置１０では、前記バッテリーボックス６のＤＣジャック６５に、前記本考案ケーブル１のＤＣプラグ４を差し込むことによって、前記本考案ケーブル１が前記バッテリーボックス６に接続される。即ち、前記本考案電力供給装置１０は、電力供給源となる前記バッテリーボックス６から発生する電力を、前記本考案ケーブル１を通じて、図示しない電力需要側に送電する仕組みとなされている。
【００２６】
なお、本実施形態においては、前記バッテリーボックス６として、二次電池を用いているが、前記バッテリーボックス６の仕組み（種類）は特に限定されず、例えば、前記バッテリーボックス６として組電池を用いても良い。
【００２７】
＜本考案ファン付作業服１００＞
図３に、本考案ファン付作業服１００の一実施形態を示す。前記本考案ファン付作業服１００は、本考案電力供給装置１０と、送風装置７と、被服８と、を具備する。
【００２８】
‐本考案電力供給装置１０‐
前記本考案電力供給装置１０は、本考案ケーブル１と、バッテリーボックス６と、を具備する。本実施形態において使用される本考案電力供給装置１０は、前述のものと同様のである。
【００２９】
‐送風装置７‐
前記送風装置７は、前記本考案電力供給装置１０からの電力の供給を受けてファン７１を回すものである。本実施形態においては、前記送風装置７を二組用いており、各送風装置７は、それぞれ二個のファン７１と、前記ファン７１に電力を伝達するための分岐コード（二股ＤＣケーブル）７２と、を具備する。
【００３０】
‐被服８‐
前記被服８には、前記送風装置７が取り付けられる。本実施形態においては、前記被服８の背中部分の四箇所に穴をあけ、各穴それぞれに前記ファン７１を取り付けている。なお、前記被服８に前記送風装置７を取り付けるにあたり、前記ファン７１から発生する風が前記被服８の内部に向かう様にしている。
【００３１】
図４に示すように、前記分岐コード７２の各端子はＤＣプラグ７４であり、前記ファン７１に対する前記分岐コード７２の接続は、前記ファン７１に設けられたＤＣジャック７５に前記ＤＣプラグ７４を差し込むことによって行われる。
【００３２】
一方、前記本考案電力供給装置１０と前記送風装置７との接続は、本考案ケーブル１の各枝コード３の末端に存するＤＣジャック５に、前記分岐コード７２のＤＣプラグ７４を差し込むことによって行われる。
【００３３】
前記構成を有する本考案ファン付作業服１００を着用し、前記本考案電力供給装置１０から前記送風装置７に電力を供給すれば、ファン７１が回転し、前記本考案ファン付作業服１００の内部に風が送り込まれる。これにより、夏季作業や高温環境下の作業現場において、使用者の体温を下げることができ、熱中症などの発生を抑制することができる。
【００３４】
又、本考案ファン付作業服１００は、バッテリーボックス６の装備数が一つとなるため、作業に支障をきたすほどの重量感を感じ難い。
【００３５】
更に、本実施形態に係る本考案ファン付作業服１００では、複数のファン７１が互いに並列関係となる回路が構築されているから、全てのファン７１から均等の送風を行うことができる。
【００３６】
なお、本考案は、その精神または主要な特徴から逸脱することなく、他のいろいろな形で実施することができる。そのため、上述の実施形態はあらゆる点で単なる例示にすぎず、限定的に解釈してはならない。本考案の範囲は実用新案登録請求の範囲によって示すものであって、明細書本文には、なんら拘束されない。さらに、実用新案登録請求の範囲の均等範囲に属する変形や変更は、全て本考案の範囲内のものである。
【符号の説明】
【００３７】
１  本考案ケーブル（分岐ケーブル）
２  幹コード
３  枝コード
４  ＤＣプラグ
５  ＤＣジャック
６  バッテリーボックス
７  送風装置
７１  ファン
７２  分岐コード
８  被服
１０  本考案電力供給装置
１００  本考案ファン付作業服
【図１】
0003214729.tif 000003
【図２】
0003214729.tif 000004
【図３】
0003214729.tif 000005
【図４】
0003214729.tif 000006